(57)【要約】【課題】表示データメモリ１０への表示データの書き込みと読み出しを同時に並行して行うことにより、表示データメモリ１０が１画面分で足りるＬＥＤ点灯駆動回路を提供する。【解決手段】シリアルに送られて来る表示データをシフトレジスタ３によって１行分ずつのパラレル信号に変換してドットマトリクス方式のＬＥＤパネル１のデータ入力に送るダイナミック点灯方式のＬＥＤ点灯駆動回路において、複数桁分の行メモリ１０ａ（フリップフロップ回路）を複数行分備えた表示データメモリ１０と、シフトレジスタ３によりパラレル信号に変換された表示データを、表示データメモリ１０の中で順次選択した１行分の行メモリ１０ａに書き込むメモリ書込用デコーダ９と、表示データメモリ１０の中で順次選択した１行分の行メモリ１０ａに保持された表示データを読み出してＬＥＤパネル１のデータ入力に送るメモリ読出用デコーダ１１とを有する構成とする。【選択図】図１
2006301271.tif 000002
【特許請求の範囲】
【請求項１】
シリアルに送られて来る表示データをシフトレジスタによって１行分ずつのパラレル信号に変換してドットマトリクス方式のＬＥＤパネルのデータ入力に送るダイナミック点灯方式のＬＥＤ点灯駆動回路において、
複数桁分のフリップフロップ回路を複数行分備えた表示データメモリと、
シフトレジスタによりパラレル信号に変換された表示データを、表示データメモリの中で順次選択した１行分のフリップフロップ回路に書き込むメモリ選択書込回路と、
表示データメモリの中で順次選択した１行分のフリップフロップ回路に保持された表示データを読み出してＬＥＤパネルのデータ入力に送るメモリ選択読出回路と
を有することを特徴とするＬＥＤ点灯駆動回路。
【請求項２】
前記メモリ選択読出回路が、シリアルに送られて来る表示データの同期信号に従って表示データの読み出し動作を行う表示データ同期モードと、内部で発生させた同期信号及び／又は別途外部から送られて来る同期信号に従って表示データの読み出し動作を行う１以上の動作モードを備え、これらのモードが制御信号によって切り替わるようになっていることを特徴とする請求項１に記載のＬＥＤ点灯駆動回路。
【請求項３】
前記メモリ選択読出回路が、表示データ同期モードの他に、少なくとも内部で発生させた内部同期信号に従って表示データの読み出し動作を行う内部同期モードを備え、表示データ同期モードで動作中に、シリアルに送られて来る表示データの同期信号が入力されなくなった場合に、自動的に内部同期モードに切り替わるようになっていることを特徴とする請求項２に記載のＬＥＤ点灯駆動回路。
【請求項４】
前記メモリ選択読出回路が、内部で発生させた内部同期信号に従って表示データの読み出し動作を行う内部同期モードと、外部から送られて来る外部同期信号に従って表示データの読み出し動作を行う外部同期モードを備え、外部同期モードで動作中に、外部から外部同期信号が入力されなくなった場合に、自動的に内部同期モードに切り替わるようになっていることを特徴とする請求項１乃至請求項３のいずれかに記載のＬＥＤ点灯駆動回路。
【発明の詳細な説明】
【技術分野】
【０００１】
本発明は、ドットマトリクス方式のＬＥＤパネルをダイナミック点灯方式により駆動するＬＥＤ点灯駆動回路に関する。
【背景技術】
【０００２】
ドットマトリクス方式のＬＥＤパネル１は、図２に示すように、行（ロウ）方向と桁（カラム）方向に多数配置された各表示ドット１ａにそれぞれＬＥＤ（発光ダイオード）を配置した表示パネルである。各表示ドット１ａには、発光色が単色のＬＥＤ又は複数種類の発光色を備えたＬＥＤが１個ずつ配置されている場合もあるし、発光色が同色のＬＥＤ及び／又は発光色が異なるＬＥＤが複数個ずつ配置されている場合もある。図２では、行方向と桁方向に１６×１６ドットの表示ドット１ａが配置され、各表示ドット１ａに赤色発光と緑色発光と青色発光のＬＥＤが１個又は複数個ずつ配置されている場合を示す。また、このＬＥＤパネル１で表示を行う表示データは、赤色発光のＬＥＤを点灯させるための赤・表示データと、緑色発光のＬＥＤを点灯させるための緑・表示データと、青色発光のＬＥＤを点灯させるための青・表示データとの３種類を用いる。さらに、これら赤・表示データと緑・表示データと青・表示データの各表示ドット１ａに対応するデータは、それぞれ１ビットとし、各発光色のＬＥＤを点灯と消灯の２階調表示させる場合を示す。
【０００３】
上記ＬＥＤパネル１は、スキャン回路２によって順に選択された行の表示ドット１ａのＬＥＤを点灯させることにより、ダイナミック点灯方式による表示を行う。また、このＬＥＤパネル１は、赤色用と緑色用と青色用（以下、「ＲＧＢ」という）のデータ入力を１６端子ずつ有し、各端子のデータ入力は、対応する桁の１６行分の表示ドット１ａにおける対応する発光色のＬＥＤにスイッチング素子を介してそれぞれ接続されている。そして、スキャン回路２は、順にいずれか１行における１６桁の表示ドット１ａのスイッチング素子をＯＮにすることにより、ダイナミック点灯方式による表示を行うことになる。従って、例えば赤色用のデータ入力の１端子に赤・表示データが入力されると、この端子に対応する桁におけるスキャン回路２によって選択された行の表示ドット１ａの赤色発光のＬＥＤが点灯／消灯してドットマトリクス方式による表示を行うことになる。
【０００４】
上記ＬＥＤパネル１をダイナミック点灯方式により駆動する従来のＬＥＤ点灯駆動回路は、シリアルに送られて来る表示データを１行分ずつのパラレル信号に変換してこのＬＥＤパネル１のデータ入力に送るようになっている。即ち、図２の場合、ＲＧＢの表示データは、ドットクロックに従って１ビットずつＲＧＢのシフトレジスタ３にそれぞれ入力され、これらＲＧＢの表示データが１行分１６ビット入力されるたびに、水平同期信号に従ってラッチ回路４にラッチされる。そして、このラッチ回路４にラッチされた表示データは、ＬＥＤパネル１における１６ビットずつのＲＧＢのデータ入力に送られ、いずれかの行の表示ドット１ａを点灯／消灯して表示を行う。また、スキャン回路２は、水平同期信号であるスキャン信号に従って表示行を順に切り替える走査を行うので、これによってシリアルに送られて来る表示データを順次ＲＧＢごとに１６ビットずつ各行に表示して、ダイナミック点灯方式による表示が行われることになる。
【０００５】
ところで、上記ＬＥＤ点灯駆動回路では、表示データや水平同期信号等の入力が停止した場合に、ＬＥＤパネル１の表示も停止することになる。また、ＬＥＤパネル１は、表示データの水平同期信号に同期したダイナミック点灯方式による表示しか行うことができず、これとは速度（周波数）の異なる内部同期信号や外部同期信号に従ったダイナミック点灯方式による表示を行うことができない。
【０００６】
そこで、従来は、シリアルに送られて来る表示データをＬＥＤパネル１の１画面（フレーム）分ずつメモリに保持しておいて、このメモリから読み出した表示データをＬＥＤパネル１に表示するようにしたＬＥＤ点灯駆動回路が開発されていた。即ち、このＬＥＤ点灯駆動回路は、図３に示すように、シフトレジスタ３でパラレル信号に変換された１行分の表示データを順次バンク切替書込回路５を介して１画面分にわたり画面メモリ６に書き込み、この画面メモリ６の表示データをバンク切替読出回路７で１行分ずつ読み出してＬＥＤパネル１のデータ入力に送ることにより表示を行う。バンク切替書込回路５やバンク切替読出回路７は、画面メモリ６に、１６ビットのデータバスと図示を省略した４ビットのアドレスバスと適宜ビットの制御バスとを介して接続され、制御バスに書き込み又は読み出しの信号を送ると共に、アドレスバスで行を指定し、バンク切替書込回路５の場合にはデータバスに１行分の表示データを送ることにより、画面メモリ６の１行分１６ビットのメモリセル（ＳＲＡＭの場合にはフリップフロップ回路）にアクセスを行うようになっている。
【０００７】
図３に示したＬＥＤ点灯駆動回路は、画面メモリ６に１画面分の表示データが保持されているので、シリアルに送られて来る表示データの入力が停止しても、直前に送られて来た表示データをこの画面メモリ６から繰り返し読み出すことにより、ＬＥＤパネル１の表示を維持することができる。また、このＬＥＤ点灯駆動回路は、動作モード選択回路８を備え、表示データの水平同期信号をそのままバンク切替読出回路７に送ると共に、これをスキャン信号として図３では図示しないスキャン回路２に送る他に、内部で発生させた内部同期信号をこの水平同期信号の代わりに用いることもできるので、この内部同期信号を用いている場合には、水平同期信号の入力が停止したとしても、バンク切替読出回路７やスキャン回路２が動作を続行して、ＬＥＤパネル１の表示を維持することができる。
【０００８】
上記画面メモリ６は、ＲＧＢごとに１６×１６ビットの容量を有することにより１画面分の表示データを保持することができる。ただし、このような画面メモリ６は、データバス等を表示データの書き込みと読み出しで共用するだけでなく、アドレスバスで指定したアドレスをデコードするためのデコーダも書き込みと読み出しで共用するので、同時に表示データの書き込みと読み出しを行うことができない。このため、この画面メモリ６は、ＲＧＢごとに少なくとも２バンクずつ必要となり、バンク切替書込回路５とバンク切替読出回路７によって、交互にバンク切り替えを行いながら、異なるバンクの画面メモリ６にアクセスするようにしなければならない。しかも、動作モード選択回路８が、表示データの水平同期信号とは速度の異なる内部同期信号を選択した場合には、バンク切替書込回路５が画面メモリ６に１画面分の表示データを書き込む際に要する時間と、バンク切替読出回路７が画面メモリ６から１画面分の表示データを読み出す際に要する時間とが異なるので、この画面メモリ６が、ＲＧＢごとに少なくとも図３に示すように３バンクずつ必要となる。また、このＬＥＤ点灯駆動回路は、外部から表示データとは別に送られて来る外部同期信号をバンク切替読出回路７やスキャン回路２に送ることにより、利用者が希望する任意の速度でＬＥＤパネル１のダイナミック点灯方式による表示を行うこともできるようになっているので、動作モード選択回路８がこの外部同期信号を選択した場合にも、画面メモリ６が３バンクずつ必要となる。
【０００９】
上記画面メモリ６は、例えばＬＥＤ点灯駆動回路の集積回路とは別に、汎用のメモリデバイスを実装することにより構成することができる。また、ＬＥＤ点灯駆動回路をゲートアレイで構成する場合には、このゲートアレイの一部に予め用意されたメモリ領域を利用することもできる。
【００１０】
ところが、上記図３のＬＥＤ点灯駆動回路では、ＲＧＢごとに１６×１６ビットの１画面分の画面メモリ６が３バンク必要となるため、大きなメモリ容量が必要となり回路装置が高価になるという問題があった。また、このように画面メモリ６を用いると回路装置が高価になるため、メモリが不要な用途では、図２に示したようなＬＥＤ点灯駆動回路を使うことになり、メーカー側では、これら構成の異なるＬＥＤ点灯駆動回路を２種類提供する必要が生じるだけでなく、ユーザー側においても、使用開始後にメモリが必要になった場合に、回路装置を交換しなければならないという不便が生じる問題もあった。
【００１１】
さらに、図３のＬＥＤ点灯駆動回路では、表示データの水平同期信号を用いてバンク切替読出回路７により画面メモリ６から表示データの読み出しを行うと共にスキャン回路２によるＬＥＤパネル１の走査を行っていた場合、この水平同期信号の入力が停止すると、ＬＥＤパネル１の表示を維持できないという問題があり、外部同期信号を用いて表示データの読み出しとＬＥＤパネル１の走査を行っていた場合にも、この外部同期信号の入力が停止すると、ＬＥＤパネル１の表示を維持できないという問題があった。
【発明の開示】
【発明が解決しようとする課題】
【００１２】
本発明は、フリップフロップ回路からなる表示データメモリにそれぞれ独立したメモリ選択書込回路とメモリ選択読出回路を接続して表示データの書き込みと読み出しを同時に並行して行うことができるようにすることにより、表示データメモリが１画面分で足りるＬＥＤ点灯駆動回路を提供しようとするものである。
【課題を解決するための手段】
【００１３】
請求項１の発明は、シリアルに送られて来る表示データをシフトレジスタによって１行分ずつのパラレル信号に変換してドットマトリクス方式のＬＥＤパネルのデータ入力に送るダイナミック点灯方式のＬＥＤ点灯駆動回路において、複数桁分のフリップフロップ回路を複数行分備えた表示データメモリと、シフトレジスタによりパラレル信号に変換された表示データを、表示データメモリの中で順次選択した１行分のフリップフロップ回路に書き込むメモリ選択書込回路と、表示データメモリの中で順次選択した１行分のフリップフロップ回路に保持された表示データを読み出してＬＥＤパネルのデータ入力に送るメモリ選択読出回路とを有することを特徴とする。
【００１４】
請求項２の発明は、前記メモリ選択読出回路が、シリアルに送られて来る表示データの同期信号に従って表示データの読み出し動作を行う表示データ同期モードと、内部で発生させた同期信号及び／又は別途外部から送られて来る同期信号に従って表示データの読み出し動作を行う１以上の動作モードを備え、これらのモードが制御信号によって切り替わるようになっていることを特徴とする。
【００１５】
請求項３の発明は、前記メモリ選択読出回路が、表示データ同期モードの他に、少なくとも内部で発生させた内部同期信号に従って表示データの読み出し動作を行う内部同期モードを備え、表示データ同期モードで動作中に、シリアルに送られて来る表示データの同期信号が入力されなくなった場合に、自動的に内部同期モードに切り替わるようになっていることを特徴とする。
【００１６】
請求項４の発明は、前記メモリ選択読出回路が、内部で発生させた内部同期信号に従って表示データの読み出し動作を行う内部同期モードと、外部から送られて来る外部同期信号に従って表示データの読み出し動作を行う外部同期モードを備え、外部同期モードで動作中に、外部から外部同期信号が入力されなくなった場合に、自動的に内部同期モードに切り替わるようになっていることを特徴とする。
【発明の効果】
【００１７】
請求項１の発明によれば、シリアルに送られて来た表示データは、シフトレジスタでパラレル信号に変換された後に、メモリ選択書込回路が表示データメモリの中で順次選択した１行分のフリップフロップ回路に書き込まれる。また、このようにして表示データメモリに書き込まれた表示データは、メモリ選択読出回路が順次選択した１行分のフリップフロップ回路から読み出す。しかも、フリップフロップ回路は、入出力を別個に非同期で行うことができ、メモリ選択書込回路とメモリ選択読出回路もそれぞれ独立して設けられるので、表示データの表示データメモリへの書き込みと読み出しは、同時に並行して行うことができる。従って、本発明のＬＥＤ点灯駆動回路は、１画面分の表示データメモリを設けるだけで、表示データ等の入力が停止しても、ＬＥＤパネルの表示を維持することができるようになり、表示データの書き込み速度と読み出し速度が異なる場合にも同様とすることができる。
【００１８】
請求項２の発明によれば、メモリ選択読出回路が表示データメモリから表示データを読み出すための同期信号を、制御信号によって選択することができるようになるので、シリアルに送られて来る表示データの同期信号を用いる表示データ同期モードの他に、周波数や位相が異なる可能性のある内部や外部の同期信号を用いる動作モードでＬＥＤパネルの表示を行うこともできるようになる。しかも、表示データ同期モードでは、必ずしも表示データメモリを利用する必要はないが、この表示データメモリは１画面分の容量しかないため、コスト的な無駄がほとんど生じない。従って、メーカーにとっては、表示データメモリの有無により２種類のＬＥＤ点灯駆動回路を提供する必要がなくなり、ユーザーにとっても、使用開始後に表示データメモリが必要になった場合に、ＬＥＤ点灯駆動回路を交換しなければならないという不便がなくなる。
【００１９】
請求項３の発明によれば、表示データ同期モードで動作中に、表示データの入力が停止する等の事情で、この表示データの同期信号の入力が停止しても、自動的に内部同期モードに切り替えてＬＥＤパネルの表示を維持することができるようになる。
【００２０】
請求項４の発明によれば、外部同期モードで動作中に、表示データの入力と共に、又は、外部同期信号のみの入力が停止しても、自動的に内部同期モードに切り替えてＬＥＤパネルの表示を維持することができるようになる。この際、表示データとこれに付随する同期信号の入力が継続していれば、ＬＥＤパネルの表示内容が停止することもない。
【発明を実施するための最良の形態】
【００２１】
以下、本発明の最良の実施形態について図１を参照して説明する。なお、この図１においても、図２及び図３に示した従来例と同様の機能を有する構成部材には同じ番号を付記する。
【００２２】
本実施形態は、図２及び図３に示した従来例と同様のドットマトリクス方式のＬＥＤパネル１をダイナミック点灯方式により駆動するＬＥＤ点灯駆動回路について説明する。このＬＥＤ点灯駆動回路では、まずシリアルに送られて来るＲＧＢの各表示データが、従来例と同様に、それぞれシフトレジスタ３によって１行分１６ビットずつのパラレル信号に変換される。そして、これらパラレル信号に変換された１６ビットの表示データは、メモリ書込用デコーダ９を介してＲＧＢごとに表示データメモリ１０に書き込まれる。
【００２３】
ＲＧＢの各表示データメモリ１０は、１行分１６ビットのフリップフロップ回路からなる行メモリ１０ａを１画面分である１６個備えたメモリであり、各フリップフロップ回路の１ビットの入力がメモリ書込用デコーダ９にそれぞれ接続されている。フリップフロップ回路は、入力端子と出力端子を有し、例えばＤフリップフロップ回路の場合には、クロック信号の立ち上がり等のタイミングで入力端子（Ｄ端子）に入力された１ビットのデータを記憶（ラッチ）し、この記憶されたデータが出力端子（Ｑ，Ｑバー端子）から常時出力されるものである。
【００２４】
メモリ書込用デコーダ９は、シフトレジスタ３の１６ビットのパラレル出力を、表示データメモリ１０のいずれかの行メモリ１０ａの１６ビットの入力に接続する回路であり、水平同期信号と垂直同期信号に従って順次行メモリ１０ａの接続の切り替えを行うようになっている。即ち、このメモリ書込用デコーダ９は、水平同期信号の立ち上がり等があるたびに、第１行目の行メモリ１０ａから第１６行目の行メモリ１０ａまでの接続を順に繰り返し切り替える動作を行い、垂直同期信号の立ち上がり等があると、この接続が強制的に第１行目の行メモリ１０ａにリセットされるようになっている。
【００２５】
上記ＲＧＢの各表示データメモリ１０の１６個の行メモリ１０ａにおける各フリップフロップ回路の１ビットの出力は、メモリ読出用デコーダ１１にそれぞれ接続されている。メモリ読出用デコーダ１１は、メモリ書込用デコーダ９とは逆の接続切り替え動作を行うものであり、表示データメモリ１０のいずれかの行メモリ１０ａの１６ビットの出力を、図１では図示を省略したＬＥＤパネル１の対応する色用の１６端子のデータ入力に接続する回路であり、動作モード選択回路８からの同期信号に従って順次行メモリ１０ａの接続の切り替えを行うようになっている。即ち、このメモリ読出用デコーダ１１は、動作モード選択回路８からの同期信号の立ち上がり等があるたびに、第１行目の行メモリ１０ａから第１６行目の行メモリ１０ａまでの接続を順に繰り返し切り替える動作を行う。
【００２６】
本実施形態の動作モード選択回路８は、ＬＥＤ点灯駆動回路の動作モードである表示データ同期モードと内部同期モードと外部同期モードとを切り替える回路であり、図３に示した従来例と同様に、表示データの水平同期信号と内部同期信号と外部同期信号が入力されるだけでなく、メモリ使用制御信号も入力されるようになっている。メモリ使用制御信号は、表示データメモリ１０を効果的に利用するかどうかを指示する１ビットの制御信号である。
【００２７】
上記動作モード選択回路８は、メモリ使用制御信号が非アクティブな場合には、表示データの水平同期信号をそのままメモリ読出用デコーダ１１に送ると共に、図１では図示を省略したスキャン回路２にもスキャン信号として送ることにより、メモリ読出用デコーダ１１による表示データメモリ１０からの表示データの読み出し動作を、シリアルに送られて来る表示データに同期させる表示データ同期モードによる動作を行わせる。
【００２８】
また、この動作モード選択回路８は、メモリ使用制御信号がアクティブであり、かつ、外部同期信号が入力されていない場合には、内部同期信号をメモリ読出用デコーダ１１やスキャン回路２に送ることにより、メモリ読出用デコーダ１１による表示データの読み出し動作をＬＥＤ点灯駆動回路内部で発生させた内部同期信号に同期させる内部同期モードによる動作を行わせる。さらに、この動作モード選択回路８は、メモリ使用制御信号がアクティブであり、かつ、外部同期信号が入力されている場合には、この外部同期信号をメモリ読出用デコーダ１１やスキャン回路２に送ることにより、メモリ読出用デコーダ１１による表示データの読み出し動作を、ＬＥＤ点灯駆動回路の外部から送られて来る外部同期信号に同期させる外部同期モードによる動作を行わせる。
【００２９】
しかも、この動作モード選択回路８は、表示データ同期モードによる動作を行わせているときに、水平同期信号の入力が停止すると、これを検出して内部同期信号をメモリ読出用デコーダ１１やスキャン回路２に送るように切り替えることにより、自動的に内部同期モードによる動作を行わせるようになっている。従って、この場合には、直前の１画面が繰り返しＬＥＤパネル１に表示されることになる。
【００３０】
また、この動作モード選択回路８は、外部同期モードによる動作を行わせているときに、外部同期信号の入力が停止すると、これを検出して内部同期信号をメモリ読出用デコーダ１１やスキャン回路２に送るように切り替えることにより、自動的に内部同期モードによる動作を行わせるようになっている。従って、外部同期信号から内部同期信号に切り替わることによりスキャン速度は変わるかも知れないが、以降もそのままＬＥＤパネル１の表示が続行されることになる。そして、表示データや水平同期信号の入力も停止すれば、直前の１画面が繰り返しＬＥＤパネル１に表示される。
【００３１】
上記構成により、本実施形態のＬＥＤ点灯駆動回路は、メモリ書込用デコーダ９による表示データメモリ１０への表示データの書き込みと、メモリ読出用デコーダ１１による表示データメモリ１０からの表示データの読み出しとを同時に並行して行うことができるので、この書き込み動作と読み出し動作の速度が同じ場合に、表示データメモリ１０を２バンク以上用意する必要がなくなり、しかも、この書き込み動作と読み出し動作の速度が異なる場合にも、表示データメモリ１０を３バンク以上用意する必要がなくなる。従って、このＬＥＤ点灯駆動回路は、表示データ等の入力が停止したときにＬＥＤパネル１の表示を維持するためや、ＬＥＤパネル１のスキャン速度を任意に変更するための表示データメモリ１０を１画面分用意するだけでよいので、回路装置のコストダウンを図ることができるようになる。
【００３２】
また、表示データメモリ１０が１画面分で足り、コストダウンを図ることができるので、本来表示データメモリ１０が不要な表示データ同期モードのみで使用したいというユーザーにも過度の負担を与えるようなことがなくなり、ＬＥＤ点灯駆動回路を複数種類提供する必要がなくなる。しかも、表示データ同期モードのみで使用するユーザーにとっても、表示データ等の入力が停止した場合にＬＥＤパネル１の表示を維持する機能を利用できるようになり、さらに、後に他の動作モードでの使用を希望するようになっても、ＬＥＤ点灯駆動回路を交換する必要がなくなる。
【００３３】
また、内部同期モード以外のモードで動作中に、表示データの水平同期信号や外部同期信号の入力が停止しても、自動的にこの内部同期モードに切り替えてＬＥＤパネルの表示を維持することができるようになる。
【００３４】
なお、上記実施形態のＬＥＤ点灯駆動回路は、ワイヤード・ロジックで実装される限り、実装手段は任意であり、例えばフルカスタムの集積回路を作製してもよく、ゲートアレイを用いて構成することもできる。また、表示データメモリ１０は、これらの集積回路内に組み込んでもよいし、別の集積回路として外付けすることもできる。
【００３５】
また、上記実施形態では、従来例と同様の１６×１６ドットのＬＥＤパネル１を点灯駆動するＬＥＤ点灯駆動回路について説明したが、ＬＥＤパネルのドット構成は任意であり、例えば２４×２４ドットや３２×１６ドット等のＬＥＤパネルであっても、同様に実施可能である。また、上記実施形態では、各表示ドット１ａの各発光色のＬＥＤが点灯と消灯だけの２階調で表示を行う場合を示したが、ＲＧＢの各表示データの各表示ドット１ａのデータを２ビット以上として、４階調以上の階調を表示するようにした場合にも同様に実施可能であり、例えば８ビット（２５６階調）のフルカラー表示とすることもできる。さらに、上記実施形態では、ＬＥＤパネル１がＲＧＢの３色表示を行うために、３種類の表示データを用いる場合を示したが、この表示色の数も任意であり、例えば表示データを２種類として２色又はこれらを同時に点灯させた発光色も合わせて３色表示とすることもでき、表示データを１種類だけとして単色表示とすることもできる。
【００３６】
また、上記実施形態では、表示データの同期信号（水平同期信号）の他に、内部同期信号と外部同期信号を用いる場合を示したが、外部同期信号を用いないＬＥＤ点灯駆動回路にも同様に実施可能である。ただし、この場合には、外部同期モードを用いることはできない。さらに、内部同期信号も、必ずしも必要とは限らない。ただし、この場合には、内部同期モードを用いることはできず、水平同期信号の入力が停止すれば、ＬＥＤパネル１の表示も停止することになる。
【図面の簡単な説明】
【００３７】
【図１】本発明の一実施形態を示すものであって、ＬＥＤ点灯駆動回路の構成を示すブロック図である。
【図２】従来例を示すものであって、メモリを用いないＬＥＤ点灯駆動回路の構成を示すブロック図である。
【図３】従来例を示すものであって、メモリを用いたＬＥＤ点灯駆動回路の構成を示すブロック図である。
【符号の説明】
【００３８】
１    ＬＥＤパネル
３    シフトレジスタ
８    動作モード選択回路
９    メモリ書込用デコーダ
１０    表示データメモリ
１０ａ  行メモリ
１１    メモリ読出用デコーダ
【図１】
2006301271.tif 000003
【図２】
2006301271.tif 000004
【図３】
2006301271.tif 000005